(57)【要約】【課題】  食品を確実に搬送でき、その搬送過程で食品の破損が起こらず、しかも省スペース化、高速化を達成できる、食品の油切り搬出装置、及びその方法を提供する。【解決手段】  搬出コンベヤ４の案内手段１４は、トレー１１と共に支軸１０の周りで旋回可能な一対の従動子１６ａ，１６ｂと、追動牽体９と共に略直線的に往動又は復動する従動子１６ａ又は従動子１６ｂを案内してトレー１１の姿勢を水平又は垂直に保持する保持用ガイドレール１７ａ〜１７ｅと、追動牽体９の上弦９ａと共に復動し追動牽体９に伴って往動に転じる従動子１６ａを案内してトレー１１の姿勢を水平に保持するターンガイド部材１８と、従動子１６ａを案内してトレー１１を９０°旋回させる旋回用ガイドレール１９とから構成される。【選択図】  図１
2005110968.tif 000002
【特許請求の範囲】
【請求項１】
複数の主動回転輪の間に巻掛けされ上弦が往動し下弦が復動する無端状の主動牽体と、油揚げされた食品を出し入れ可能な開口を有し前記食品を油切りしながら収納できる複数の容器とを備え、前記容器が、前記主動牽体に取付けられ、前記主動牽体の上弦に伴って往動する行程で、前記開口を上方へ向け、前記主動牽体の下弦に伴って復動する行程で、前記開口を下方へ向けるフライコンベヤと、
前記容器が、前記主動牽体の上弦と共に往動し該主動牽体に伴って復動に転じる行程で、前記容器に収納された食品が、前記容器の開口から飛び出すのを規制する反転ガイド板と、
複数の追動回転輪の間に巻掛けされ下弦が往動し上弦が前記フライコンベヤの主動牽体の下弦に対面して復動する無端状の追動牽体と、前記食品を油切りしながら載置できる複数のトレーとを備え、前記追動牽体に前記食品が水平姿勢を維持しつつ支持される搬出コンベヤと、
を備えることを特徴とするフライ食品の油切り搬出装置。
【請求項２】
前記搬出コンベヤが、前記追動牽体の往復動する方向を水平に横切る複数の支軸を、前記追動牽体に取付け、前記支軸にて前記トレーを支持し、該トレーを案内手段により水平姿勢に維持することを特徴とする請求項１に記載のフライ食品の油切り搬出装置。
【請求項３】
前記案内手段が、前記トレーに接続され前記トレーと共に前記支軸の周りで旋回可能な従動子と、前記追動牽体と共に往復動する前記従動子を案内して前記トレーの姿勢を水平に保持する保持用ガイドレールと、前記追動牽体の上弦と共に復動し該追動牽体に伴って往動に転じる従動子を案内して前記トレーの姿勢を水平に保持するターンガイド部材とを備えることを特徴とする請求項２に記載のフライ食品の油切り搬出装置。
【請求項４】
前記搬出コンベヤが、前記追動牽体の下弦と共に往動する前記従動子を案内して前記トレーを起立させる旋回用ガイドレールを備え、該旋回用ガイドレールを、前記追動牽体の下弦が往動する方向における前記保持用ガイドレールの前途に配置したことを特徴とする請求項３に記載のフライ食品の油切り搬出装置。
【請求項５】
前記トレーが、前記支軸に基端を支持され先端を前記支軸の周りに旋回可能な複数本の櫛歯の列から成り、前記追動牽体の下弦の下方に、前記追動牽体の下弦が往動する方向に延びる複数条のスリットを有する滑動板材を配置し、前記トレーが起立した姿勢で、前記櫛歯を前記スリットに通過させ前記櫛歯の先端が前記滑動板材の下方へ通り抜けることを特徴とする請求項４に記載のフライ食品の油切り搬出装置。
【請求項６】
前記搬出コンベヤが、前記支軸の周りで互いに位置を違える一対の前記従動子を備え、前記保持用ガイドレール、又は前記ターンガイド部材が、前記一対の従動子の一方を、前記トレーに加わる重力に抗する方向へ押し付けて案内することを特徴とする請求孔３乃至５に記載のフライ食品の油切り搬出装置。
【請求項７】
上弦が往動し下弦が復動する無端状の主動牽体に取付けられ開口を有する容器に、油揚げされた食品が収納され、該食品を、前記主動牽体の往復動に従わせて前記容器と共に搬送しつつ油切りする工程と、
前記主動牽体の下弦に伴って復動する前記容器が、前記開口を下方へ向けることにより、前記食品を前記開口を経て落下させる工程と、
前記主動牽体の下弦に対面して上弦が復動し下弦が往動する無端状の追動牽体に回動自在に取付けたトレーが、前記追動牽体の上弦に伴って復動しつつ、前記容器から落下する前記食品を受け止める工程と、
前記食品を受け止めた前記トレーを水平に保ちながら、前記食品を前記トレーと共に水平姿勢を前記追動牽体によって搬送する工程と、
前記トレーを水平に保ちながら、前記追動牽体を復動に転じる工程と、
前記トレーを起立させることにより、前記食品を前記トレーから離脱させる工程と、
を含むことを特徴とするフライ食品の油切り搬出方法。
【発明の詳細な説明】
【技術分野】
【０００１】
本発明は、油揚げされた食品を、搬送する過程で油切り又は冷却をすると共に、次工程へ搬出する、フライ食品の油切り搬出装置、及びその方法に関する。
【背景技術】
【０００２】
油揚げされた麺塊、その他のフライ食品の油切り、及び同食品の次工程への搬出を行う装置は、下記の特許文献に開示されている。当該文献に係る装置を図１０（ａ）に示す。また、当該文献に係る装置の改良タイプを、同図（ｂ）に示している。これらの装置は、前工程として、油揚げ装置を用いて食品の油揚げを行う。油揚げ装置は、揚げ油を貯留しつつ加熱する油槽と、この油槽内を通過するベルトにメッシュ底のトレーや透液性のリテーナを取付けたフライコンベヤとを備え、フライコンベヤ上に食品を載せて搬送しつつ、この食品を油槽内の揚げ油に浸すように構成したものである。
【０００３】
更に、揚げ油に浸された後に、図１０に示すように、食品Ｆは、フライコンベヤＣ０の終端に至り、この終端のスプロケットＳ０周りにフライコンベヤＣ０の下面側に導かれつつ反転する。そして、フライコンベヤＣ０の終端には、これを覆う円弧状に湾曲したガイド板Ｇ０が取付けられ、フライコンベヤＣ０の終端とガイド板Ｇ０との間には、食品Ｆが通過可能な隙間が設けられている。このため、食品Ｆは、フライコンベヤＣ０の終端から脱落することなく、フライコンベヤＣ０の下面側まで至る。そして、ガイド板Ｇ０が途切れたところで、食品Ｆは、フライコンベヤＣ０の終端から落下して、同図（ａ）の場合はシュータに受け止められ、同図（ｂ）の場合はリフターＲ０に乗せられて搬出コンベヤＣ１に移載される。搬出コンベヤＣ１は、食品Ｆを次工程へ搬出するものである。
【０００４】
これら図１０（ａ），（ｂ）に示した装置は、何れも油揚げされた食品Ｆを、油揚げされた状態に対して裏返して（上下方向を逆にして）搬送させる装置であるが、油揚げされた食品Ｆを元の姿勢に復帰させて搬出する装置としては、図１１に示す装置が知られている。同装置に適用されている多角形ドラムＤは、その外周の平面部Ｐが食品Ｆを載せられる広さに設定されている。多角形ドラムＤの側方には、これを覆う円弧状に湾曲したガイド板Ｇ１が取付けられ、多角形ドラムＤとガイド板Ｇ１との間には、食品Ｆが通過可能な隙間が設けられている。このため、食品Ｆは、多角形ドラムＤから脱落することなく、多角形ドラムＤの下方へ導かれつつ反転する。ガイド板Ｇ１が途切れたところで、食品Ｆは、多角形ドラムＤから落下して、搬出コンベヤＣ１に受け止められる。
【０００５】
また、図１１に係る装置の改良タイプとして、本出願人は特願2002−222443号に係る装置を提案している。しかし、食品Ｆがカップ麺のように、油揚げされた状態に対して裏返して搬出される必要のある場合や、壊れ易い等の理由で複数回の姿勢の変更（上下の逆転）が好ましくない場合、言い換えると、姿勢を保ちつつ搬送する必要がある場合には、油揚げされた状態に対して、裏返した（上下方向を逆にした）ままの姿勢で搬送させるのが望ましい。
【特許文献１】実開昭６２−２０２１８０号公報
【発明の開示】
【発明が解決しようとする課題】
【０００６】
しかしながら、図１０，１１に例示の装置では、稀に食品ＦがフライコンベヤＣ０に貼り付くことがある。特に、フライコンベヤＣ０が、カップ麺を個別に収納可能なリテーナーを備え、同リテーナーに搬送の対象物である食品Ｆを投入しつつ搬送する場合、食品ＦがスプロケットＳ０周りに反転しても、食品Ｆがリテーナーに強く貼り付いたまま落下しないという問題が起こる。このような食品Ｆは搬送を継続できない上、当該装置から手作業で除去しなければならない。
【０００７】
また、図１０（ａ）に係る装置の場合、フライコンベヤＣ０の終端から食品Ｆが落下してシュータに受け止められる過程と、シュータ上を落下してきた食品Ｆを受け止める過程で、食品Ｆが破損するという問題も起こった。同様に、図１０（ｂ）に係る装置の場合、リフターＲ０を落下してきた食品ＦをコンベヤＣ１で受け止める過程で、図１１に係る装置の場合には、食品Ｆが多角形ドラムＤに受け止められる過程で、それぞれ、食品Ｆが落下による衝撃を受けることで破損する問題が起こった。これは油揚げされた食品Ｆが油揚げによって素材が乾燥し硬化していて一層脆くなっているために、比較的軽い衝撃でも破損する場合があるからである。
【０００８】
更に、図１０（ａ）に係る装置の場合、食品Ｆは常時全く同じタイミングで落下せず、落下のタイミングに若干の時間的なずれが生じるために、等間隔で食品Ｆが排出されず、シュータの下流に搬送間隔を調整するための揃え機構を設置する必要があった。また、図１０（ｂ）に係る装置の場合には、食品Ｆの搬出コンベヤＣ１への移載をリフターＲ０の開閉によって行うが、リフターＲ０はフライコンベヤＣ０から受け取った食品Ｆを搬出コンベヤＣ１へ完全に搬出した後に、且つ次の食品Ｆが来る前に元の状態に戻す必要があり、速度に制約があって、フライコンベヤＣ０の搬送速度が高速の場合には適用できない問題があった。
【０００９】
更に、図１０，１１に係る装置では、フライコンベヤＣ０と搬出コンベヤＣ１とは、それぞれ一部の上下に重なった部分を除き、略一直線状に縦列されている。このため、上記例示の装置の全長は、フライコンベヤＣ０と搬出コンベヤＣ１とのそれぞれの全長を合わせた寸法に略等しく、搬出コンベヤＣ１で行われる油切りのために同装置の全長が不要に長くなってしまい、広い設置場所が必要であった。
【００１０】
本発明の目的とするところは、食品の姿勢を保ちつつ同食品を確実に搬送でき、搬送過程で食品の破損が起こらず、しかも、省スペース化、高速化を達成できる、フライ食品の油切り搬出装置、及びその方法を提供することにある。
【課題を解決するための手段】
【００１１】
本発明に係るフライ食品の油切り搬出装置は、複数の主動回転輪の間に巻掛けされ上弦が往動し下弦が復動する無端状の主動牽体と、油揚げされた食品を出し入れ可能な開口を有し前記食品を油切りしながら収納できる複数の容器とを備え、前記容器が、前記主動牽体に取付けられ、前記主動牽体の上弦に伴って往動する行程で、前記開口を上方へ向け、前記主動牽体の下弦に伴って復動する行程で、前記開口を下方へ向けるフライコンベヤと、前記容器が、前記主動牽体の上弦と共に往動し該主動牽体に伴って復動に転じる行程で、前記容器に収納された食品が、前記容器の開口から飛び出すのを規制する反転ガイド板と、複数の追動回転輪の間に巻掛けされ下弦が往動し上弦が前記フライコンベヤの主動牽体の下弦に対面して復動する無端状の追動牽体と、前記食品を油切りしながら載置できる複数のトレーとを備え、前記追動牽体に前記食品が水平姿勢を維持しつつ支持される搬出コンベヤと、を備えることを特徴とする。
【００１２】
更に、本発明に係るフライ食品の油切り搬出装置は、前記搬出コンベヤが、前記追動牽体の往復動する方向を水平に横切る複数の支軸を、前記追動牽体に取付け、前記支軸にて前記トレーを支持し、該トレーを案内手段により水平姿勢に維持することを特徴とする。
【００１３】
更に、本発明に係るフライ食品の油切り搬出装置は、前記案内手段が、前記トレーに接続され前記トレーと共に前記支軸の周りで旋回可能な従動子と、前記追動牽体と共に往復動する前記従動子を案内して前記トレーの姿勢を水平に保持する保持用ガイドレールと、前記追動牽体の上弦と共に復動し該追動牽体に伴って往動に転じる従動子を案内して前記トレーの姿勢を水平に保持するターンガイド部材とを備えることを特徴とする。
【００１４】
更に、本発明に係るフライ食品の油切り搬出装置は、前記搬出コンベヤが、前記追動牽体の下弦と共に往動する前記従動子を案内して前記トレーを起立させる旋回用ガイドレールを備え、該旋回用ガイドレールを、前記追動牽体の下弦が往動する方向における前記保持用ガイドレールの前途に配置したことを特徴とする。
【００１５】
更に、本発明に係るフライ食品の油切り搬出装置は、前記トレーが、前記支軸に基端を支持され先端を前記支軸の周りに旋回可能な複数本の櫛歯の列から成り、前記追動牽体の下弦の下方に、前記追動牽体の下弦が往動する方向に延びる複数条のスリットを有する滑動板材を配置し、前記トレーが起立した姿勢で、前記櫛歯を前記スリットに通過させ前記櫛歯の先端が前記滑動板材の下方へ通り抜けることを特徴とする。
【００１６】
更に、本発明に係るフライ食品の油切り搬出装置は、前記搬出コンベヤが、前記支軸の周りで互いに位置を違える一対の前記従動子を備え、前記保持用ガイドレール、又は前記ターンガイド部材が、前記一対の従動子の一方を、前記トレーに加わる重力に抗する方向へ押し付けて案内することを特徴とする。
【００１７】
本発明に係るフライ食品の油切り搬出方法は、上弦が往動し下弦が復動する無端状の主動牽体に取付けられ開口を有する容器に、油揚げされた食品が収納され、該食品を、前記主動牽体の往復動に従わせて前記容器と共に搬送しつつ油切りする工程と、前記主動牽体の下弦に伴って復動する前記容器が、前記開口を下方へ向けることにより、前記食品を前記開口を経て落下させる工程と、前記主動牽体の下弦に対面して上弦が復動し下弦が往動する無端状の追動牽体に回動自在に取付けたトレーが、前記追動牽体の上弦に伴って復動しつつ、前記容器から落下する前記食品を受け止める工程と、前記食品を受け止めた前記トレーを水平に保ちながら、前記食品を前記トレーと共に水平姿勢を維持しつつ前記追動牽体によって搬送する工程と、前記トレーを水平に保ちながら、前記追動牽体を復動に転じる工程と、前記トレーを起立させることにより、前記食品を前記トレーから離脱させる工程と、を含むことを特徴とする。
【発明の効果】
【００１８】
本発明に係るフライ食品の油切り搬出装置、及びその方法によれば、搬出コンベヤの追動牽体の上弦が、フライコンベヤの主動牽体の下弦に対面し且つ主動牽体の下弦と共に復動するので、主動牽体と追動牽体とが対面する時間（距離）を長く稼ぐことができる。このため、食品が稀にフライコンベヤの容器に密着し、この食品が容器から離脱する時間が遅延する事があっても、食品のフライコンベヤから搬出コンベヤへの載り移りを促すことができる。従って、食品がフライコンベヤの容器に密着したままとなり、このような食品を結果的に不良品として処分する頻度を大幅に減少することができる。
【００１９】
しかも、搬出コンベヤのトレーには、支軸の周りで旋回可能な従動子を接続しこの従動子が保持用ガイドレール、又はターンガイド部材に案内されるので、追動牽体の往復動する向き、又はその姿勢に関わり無く、トレーと共に食品を常時水平な姿勢に保持することができる。従って、姿勢の変化によって食品を破損させるということはなく、また下記の理由で平滑なトレーを適用する場合でも、このようなトレーから搬送の途中で食品が不用意に脱落することがないという利点が得られる。即ち、トレーに食品を載置したまま、この食品を所望の場所まで搬出したところで、この食品をトレーから他のコンベヤ等に移載することが多々ある。この時点又は直前で、例えばトレーの姿勢を起立させることにより、食品をトレーから滑り落とすことが考えられるが、食品を滑り落とす途中で、例えば、油揚げされた脆い食品がトレーに引っ掛かって破損することを避けるには、平滑なトレーを適用することが望ましい。
【００２０】
また、搬出コンベヤの追動牽体の上弦を、フライコンベヤの主動牽体の下弦に対面させるために、必然的に、搬出コンベヤをフライコンベヤの下方に配置する構成となり、搬出コンベヤとフライコンベヤを上下に重ねて配置できる。従って、フライ食品の油切り搬出装置の水平方向の全長を、従来の技術に比較して大幅に短縮できる。しかも、前工程から次工程へ搬出する迄の食品の経路を、この食品を一旦復動させる分、延長することになる。従って、前工程が油揚げ装置による油揚げである場合には、食品の油切りと冷却の時間を省スペースでも十分に確保することができる。
【００２１】
また、フライコンベヤは、食品を容器に収納することによって同食品の位置決めを行えるので、上記のように食品がフライコンベヤから搬出コンベヤへ載り移りする以前に、食品を所望のピッチに整列させられる。従って、搬出コンベヤの各トレーのピッチに合致するように、食品を予め位置決めできるという利点がある。
【００２２】
更に、本発明に係るフライ食品の油切り搬出装置によれば、搬送コンベヤの保持用ガイドレールの前途に配置した旋回用ガイドレールによって従動子を案内することでトレーを起立させるよう構成しているので、例えば、食品をトレーから他のコンベヤ等に移載する場合に、トレーの姿勢を起立させることにより、食品をトレーから滑り落とすことができる。更に、トレーを複数本の櫛歯の列から構成する一方、上記例示の他のコンベヤとして、追動牽体の下弦が往動する方向に延びる複数条のスリットを有する滑動板材を適用した場合、トレーが起立した姿勢で、櫛歯がスリットに通過しその先端が滑動板材の下方へ通り抜けた状態となるので、支軸と滑動板材との間の距離を、櫛歯の基端から先端までの全長に関わりなく自由に設定できる。
【００２３】
このため、支軸と滑動板材との間の距離を、例えば、トレーが起立する姿勢となった時点又は直前で食品が滑動板材に受け止められるよう設定すれば、食品の高さを一定に保持しつつも同食品をトレーから離脱させることができる。従って、油揚げしたような脆いフライ食品であっても、このようなフライ食品が落下に伴う衝撃を受けないで済むという利点がある。しかも、トレーを起立させたまま同トレーを追動牽体と共に往動させられるので、トレーから離脱し滑動板材に載り移った食品を直立したトレーで押し続け、食品の搬出を持続して行うことができる。
【００２４】
更に、本発明に係るフライ食品の油切り搬出装置によれば、搬出コンベヤが、支軸の周りで互いに位置を違える一対の従動子の一方を、保持用ガイドレール、又はターンガイド部材が、トレーに加わる重力に抗する方向へ押し付けて案内するので、従動子はトレーに加わる重力の反力を受けて、常時、保持用ガイドレール又はターンガイド部材に接触し続けることになる。このため、保持用ガイドレール又はターンガイド部材に従動子が案内される過程で、従動子が保持用ガイドレール又はターンガイド部材に対して浮き上がることがない。従って、追動牽体と共に往動するトレーが揺れたりすることは殆ど無く、食品を極めて安定させて搬出することができる。
【発明を実施するための最良の形態】
【００２５】
本発明の実施の形態に係るフライ食品の油切り搬出装置について、図面に基づき詳述する。更に、その動作の説明に併せて、同実施の形態に係る食品の油切り搬出方法について詳述する。
【実施例１】
【００２６】
図１は、本実施の形態に係るフライ食品の油切り搬出装置１の側面図である。フライ食品の油切り搬出装置１は、油揚げ装置に接続し油揚げ槽内を通過する主動搬送手段Ｃ１０と、この主動搬送手段Ｃ１０の下方に配置されて次工程の装置等に接続する追動搬送手段Ｃ１１とを組合わせ、これらを相互に同調させて作動させるものである。図２は、同搬出装置１の主動搬送手段Ｃ１０の途中を破断して、その下方に配置された追動搬送手段Ｃ１１を表した平面図である。また、図１中にフライ食品の油切り搬出装置１の要部を符号Ａ，Ｂで指し、これらの要部Ａ，Ｂを、それぞれ図３及び図４に詳しく表している。
【００２７】
以下で、フライ食品の油切り搬出装置１の構成要素を指す符号の後に添えたアルファベットの小文字は、その配置又は仕様の差異を区別するための指標である。また、以下に記した「往動方向」及び「復動方向」は、それぞれ図中で矢印Ｘ０，Ｘ１が指す向きである。また、主動搬送手段Ｃ１０又は追動搬送手段Ｃ１１が食品Ｆを搬送する搬送方向又は搬出方向とは、往動方向Ｘ０及び復動方向Ｘ１に限られるのではなく、これらに交差する水平方向及び鉛直方向を更に含めた概念である。また、食品Ｆとして、主に麺塊を例として以下を説明するが、油揚げする食品であれば天麩羅や唐揚げ等でも良い。
【００２８】
先ず、主動搬送手段Ｃ１０について説明する。主動搬送手段Ｃ１０は、フライコンベヤ２と、反転ガイド板３とから主に構成されている。
【００２９】
フライコンベヤ２は、図１及び図２に示すように、水平方向に間隔を開けて複数のスプロケット又はプーリである主動回転輪５ａ〜５ｃを配置し、これら複数の主動回転輪５ａ〜５ｃに巻掛けた無端状の主動牽体６に、上記の油揚げ装置により油揚げされた食品（以下、単に「食品」と記す。）Ｆを出し入れ可能な開口７０を有し食品Ｆを油切りしながら収納できる複数の容器７を取付けたものである。複数の容器７は、それぞれ主動牽体６の上弦６ａ及び下弦６ｂと共に主動牽体６の往動方向Ｘ０及び復動方向Ｘ１に搬送する。個々の容器７は、主動牽体６の上弦６ａに伴って往動する行程で、開口７０を上方へ向け、主動牽体６の下弦６ｂに伴って復動する行程で、開口７０を下方へ向ける。
【００３０】
フライコンベヤ２の主動回転輪５ａ〜５ｃは、図１に各１個ずつ表れているが、矢印Ｘ１，Ｘ０に直交する水平方向、即ち図２において矢印Ｗで指した方向（以下「幅方向」と記す。）に重なる位置に、主動回転輪５ａ〜５ｃと同様の主動回転輪が別に設けられ、これらが連結軸５０で結合されて対を成している。フライコンベヤ２の主動牽体６は、幅方向に間隔を開けた一対のチェーン６０を主体とし、これら一対のチェーン６０の間にリテーナ６１を等ピッチで複数掛け渡したものである。ここで、等ピッチとは、往動方向Ｘ０又は復動方向Ｘ１に対して等間隔であることを意味する。
【００３１】
図中に例示したリテーナ６１は、一対のチェーン６０の間に１２列の容器７を位置決めする枠体である。個々の容器７には１個、１塊、又は所定量の食品Ｆを収納できる。容器７の素材としては、メッシュ状、網状、グリル状又は織物状等の透油材を適用しても良い。食品Ｆから流下する揚げ油は、この透油材を通り抜けて容器７の外部へ排出される。
【００３２】
フライコンベヤ２における往動方向Ｘ０の終端には、主動回転輪５ａが位置し、主動牽体６が、主動回転輪５ａの周り約１８０°に巻掛けされてその走行する方向を約１８０°転換している。即ち、主動牽体６の上弦６ａが、主動回転輪５ａの上側へ向かって往動方向Ｘ０に走行（往動）し、主動牽体６の下弦６ｂが、主動回転輪５ａの下側から復動方向Ｘ１に走行（復動）する。更に、フライコンベヤ２の終端には、これに沿うように円弧状に湾曲した反転ガイド板３が取付けられている。
【００３３】
反転ガイド板３は、主動牽体６の上弦６ａと共に往動する容器７が主動牽体６に伴って復動に転じる行程で、容器７に収納された食品Ｆが、容器７の開口７０から飛び出すのを規制するものである。つまり、フライコンベヤ２の終端と反転ガイド板３の内面との間には適当な隙間が設けられ、この隙間を主動牽体６及び容器７が通過することはできるが、容器７の開口７０から食品Ｆが飛び出そうとすれば、食品Ｆは反転ガイド板３の内面に突き当り、容器７の内側へ押し戻されることになる。
【００３４】
尚、食品Ｆが、例えば茹で処理又は蒸し処理した麺線のように油揚げの際に一定の形状に成形される食品の場合は、このような食品Ｆを容器７に投入した後、場合によっては容器７を閉蓋できるようにする。そして、容器７内の食品Ｆをフライコンベヤ２で搬送しつつ、加熱した揚げ油を張ったフライヤー内を通してフライ処理し、更に、フライコンベヤ２によってフライヤーから搬出させても良い。また、容器７を閉蓋する理由としては、食品Ｆを一定の形状に成形する以外に、一般に、フライ処理中の食品Ｆは、揚げ油の油面に浮き上がってしまうので、これを規制するためである。このように容器７を閉蓋してフライ処理した場合は、容器７が主動牽体６の上弦６ａを往動中に蓋を開くようにする。
【００３５】
このようにフライ処理した後、フライした食品Ｆや容器７、フライコンベヤ２に付着した揚げ油は、容器７から滴下又はフライコンベヤ２を伝って滴下するが、フライコンベヤ２の下方に設けた図に表れていないシュート等によって回収される。更に揚げ油は、同シュート等に案内されて、油揚げ装置の油槽等へ戻される。
【００３６】
次に、追動搬送手段Ｃ１１について説明する。追動搬送手段Ｃ１１は、搬出コンベヤ４と、案内手段１４と、滑動板材１５とから主に構成されている。
【００３７】
搬出コンベヤ４は、図１及び図２に示すように、水平方向に間隔を開けて複数のスプロケット又はプーリである追動回転輪８ａ〜８ｃを配置し、この複数の追動回転輪８ａ〜８ｃに巻掛けた無端状の追動牽体９の上弦９ａの一部が、フライコンベヤ２の主動牽体６の下弦６ｂに平行に対面し、且つ、主動牽体６の下弦６ｂに取付けられた容器７から落下する食品Ｆを、復動方向Ｘ１へ一旦搬出するものである。
【００３８】
搬出コンベヤ４の追動回転輪８ａ〜８ｃは、図１に各１個ずつ表れているが、図２に示すように、幅方向に重なる位置に、追動回転輪８ａ〜８ｃと同様の主動回転輪が別に設けられ、これらが上記のフライコンベヤ２と同様に対を成している。搬出コンベヤ４の追動牽体９は、幅方向に間隔を開けた一対のチェーン８０を主体とし、一対のチェーン８０の間に、これらが往復動する方向を水平に横切る方向に延びる複数本の支軸１０を等ピッチで掛け渡し、更に個々の支軸１０に、食品Ｆを油切りしながら載置できるトレー１１を支持させている。ここで、往復動する方向を水平に横切る方向とは、例えば、幅方向又は幅方向に対して傾斜する方向である。また、等ピッチとは、往動方向Ｘ０又は復動方向Ｘ１に対して等しい間隔であることを意味し、その間隔は、上記の容器７のピッチと等しく、又は略等しく設定することが好ましい。
【００３９】
一対のチェーン８０は、図５に例示したようなローラチェーンであり、その内リンク又は外リンクの両側の縁部を延出することにより、一対のブラケット８１を形成している。チェーン８０が追動回転輪８ａ〜８ｃに噛み合った際に、ブラケット８１が追動回転輪８ａ〜８ｃに当たらないように、ブラケット８１は、チェーン８０の外側に配置されている。つまり、図１に示すように、ブラケット８１は、追動牽体９の下弦９ｂに伴って往動する行程で、内リンク又は外リンクの上側に位置し、追動牽体９の上弦９ａに伴って復動する行程で、内リンク又は外リンクの下側に位置する。
【００４０】
一対のブラケット８１の間には、軸受用のスリーブ８２が設けられ、一対のブラケット８１のスリーブ８２に対応する位置を貫いて、支軸１０の一端部を挿通させる軸挿通孔８３が形成されている。ここでは、一対のチェーン８０の一方で支軸１０の一端部を軸受けする例を述べたが、一対のチェーン８０の相対向する位置には、それぞれ一対のブラケット８１が設けられているので、一対のチェーン８０の他方にも支軸１０の他端部が同様に軸受けされる。トレー１１は、図２に示すように、支軸１０に基端を支持され先端を支軸１０の周りに旋回可能な複数本の櫛歯１２の列から成るものである。
【００４１】
図１に示すように、反転ガイド板３の下端は、フライコンベヤ２の主動回転輪５ａの略真下で途切れているので、この箇所で、食品Ｆはフライコンベヤ２の容器７の開口７０から自重によって落下し、搬出コンベヤ４のトレー１１に載り移ることになる。フライコンベヤ２の主動牽体６と搬出コンベヤ４の追動牽体９とを可能な限り接近させて、開口７０を下方へ向けた容器７とトレー１１の上面との隙間を最小限に抑えることが望ましい。これは、食品Ｆがフライコンベヤ２から搬出コンベヤ４に載り移る際に、食品Ｆに衝撃が加わるのを避け、食品Ｆの破損を防止するためである。
【００４２】
また、搬出コンベヤ４の追動牽体９の上弦９ａは、追動回転輪８ａから復動方向Ｘ１へ向かう所定の区間において、復動方向Ｘ１に沿った水平姿勢を保っている。所定の区間とは、フライコンベヤ２の容器７のピッチの約３倍〜１０倍程度に相当する距離範囲で、フライコンベヤ２の主動牽体６の下弦６ｂと、追動牽体９の上弦９ａとを、互いに平行に対面させる事を企図している。これは次の理由による。即ち、食品Ｆが稀にフライコンベヤ２の容器７に密着し、食品Ｆが自重によって容器７から下方へ離脱するのに要する時間が遅延することが稀にある。そこで、主動牽体６と追動牽体９とが対面する時間（距離）を延長することで、食品Ｆのフライコンベヤ２から搬出コンベヤ４への載り移りを促すことを企図している。
【００４３】
また、フライコンベヤ２から搬出コンベヤ４への載り移りをより確実にするために、フライコンベヤ２に当該箇所において、ハンマー等によって機械的に振動を加えて載り移りを促す場合も考えられる。また、主動牽体６と追動牽体９とが接近して対面している時間があまり長いと油切りの効率が却って悪くなるので、両者が接近して対面している区間をフライコンベヤ２のトレーピッチの約１０倍程度までにとどめることが好ましい。上記の所定の区間を過ぎると、追動牽体９の上弦９ａは、復動方向Ｘ１へ向かって下降傾斜している。この傾斜する角度は、水平線に対して約１０°〜４５°に設定されている。
【００４４】
案内手段１４は、トレー１１と共に支軸１０の周りで旋回可能な一対の従動子１６ａ，１６ｂと、追動牽体９と共に略直線的に往動又は復動する従動子１６ａ又は従動子１６ｂを案内してトレー１１の姿勢を水平又は垂直に保持する保持用ガイドレール１７ａ〜１７ｅと、追動牽体９の上弦９ａと共に復動し追動牽体９に伴って往動に転じる従動子１６ａを案内してトレー１１の姿勢を水平に保持するターンガイド部材１８と、従動子１６ａを案内してトレー１１を９０°旋回させる旋回用ガイドレール１９とから構成されている。詳しくは以下の通りである。
【００４５】
一対の従動子１６ａ，１６ｂは、小径の車輪、ローラ、又は滑子等を主体とする。一対の従動子１６ａ，１６ｂをトレー１１の適所に直結しても良いが、一対の従動子１６ａ，１６ｂを支軸１０に取付け、支軸１０にトレー１１の基端を固定しても良い。この場合、例えば、図６に示すように、支軸１０の一端部に形成したジャーナル１０１に、スリーブ状のボス１０２をボルト等で固定し、ボス１０２に一対の従節１０３，１０４を溶接し、一対の従節１０３，１０４の先端に、一対の従動子１６ａ，１６ｂを回転自在に各々取付けるようにする。一対の従節１０３，１０４は鋼板を略く字形に成形した一体のものである。同図に例示の従動子１６ａ，１６ｂは、互いの軌道が重ならないように、それぞれ長さを違えた支軸１６０，１６１に回転自在に支持されている。
【００４６】
支軸１０のジャーナル１０１は、ボス１０２が固定された状態で、同ボス１０２の内方の部分が、既述のブラケット８１によって軸受けされる。一対の従節１０３，１０４は、支軸１０の周りに角度を違えて突出している。図中に例示の従節１０３，１０４は、互いに直角する方向に延びている。ここでは、支軸１０の一端部について述べたが、支軸１０の他端部にも同様のジャーナルが設けられ、これに一対の従動子１６ａ，１６ｂが各々取付けられている。
【００４７】
図１及び図３に示すように、保持用ガイドレール１７ａと追動牽体９の上弦９ａとが並走する部分において、保持用ガイドレール１７ａは、追動牽体９の上弦９ａと一定の距離を保っている。既述のように、食品Ｆがフライコンベヤ２の容器７からトレー１１へ載り移る時点又は直前で、先ず、保持用ガイドレール１７ａにおける復動方向Ｘ１の始端寄りの上面に、一方の従動子１６ａが転がり接触する。そして、従動子１６ａは、追動牽体９に伴って復動し、保持用ガイドレール１７ａの上面に沿って案内される。この過程で、トレー１１及び食品Ｆが重力を受けることに起因して、支軸１０には、これを図中で反時計回りに回転させる回転力が加わるが、従動子１６ａが保持用ガイドレール１７ａの上面に受け止めらることにより、支軸１０の回転は規制される。従って、トレー１１は、以上のような重力に抗する力の釣合いを保ったまま、水平な姿勢を維持する。
【００４８】
保持用ガイドレール１７ｂは、保持用ガイドレール１７ａの復動方向Ｘ１の終端と、ターンガイド部材１８との間を補う役割を果たしている。即ち、一方の従動子１６ａが、保持用ガイドレール１７ａの復動方向Ｘ１の終端から離脱し、その復動方向Ｘ１の前途に位置するターンガイド部材１８に係合するまでの間、宙吊りの状態となる。そこで、従動子１６ａが保持用ガイドレール１７ａから離脱した時点又は直前で、他方の従動子１６ｂを保持用ガイドレール１７ｂの上面に転がり接触させることにより、上記のような力の釣合いを保ったままトレー１１を水平な姿勢で維持する。
【００４９】
ターンガイド部材１８としては、図３にピッチ円のみ表した周縁の滑らかな回転輪（ガイドホイール）、又は図７に示すような波形の歯１８０を有するガイドスプロケットを適用しても良い。この他、ターンガイド部材１８は、保持用ガイドレール１７ｂ，１７ｃの間を繋ぐよう円弧状に湾曲したガイドレールであっても良い。
【００５０】
ターンガイド部材１８の役割について、先ずは、図３に係る回転輪を例に説明する。即ち、自由に回転可能な又は固定されたターンガイド部材１８に、その鉛直方向の略真上から従動子１６ａを接触させる。このままターンガイド部材１８が従動子１６ａと共に図中で時計回りに回転する過程、又は固定されたターンガイド部材１８に沿って従動子１６ａが転がり接触する過程で、従動子１６ａ及び支軸１０は、それぞれターンガイド部材１８及び追動回転輪８ｂの周りに旋回する滑節となる。つまり、支軸１０、従動子１６ａ、ターンガイド部材１８、及びターンガイド部材１８に対して軸芯を違えた追動回転輪８ｂは、四節回転（両クランク）機構を構成する。従って、トレー１１の全体は、ターンガイド部材１８の回転に伴って円弧状の軌跡を描くことになるが、トレー１１の姿勢は水平を維持し続ける。一方、追動牽体９は、追動回転輪８ｂの周り約１８０°に巻掛けされてその走行する方向を約１８０°転換する。
【００５１】
更に、上記のように従動子１６ａを係合したターンガイド部材１８が、図中で時計回りに回転する角度が９０°を超えたところで、従動子１６ａは自重により、ターンガイド部材１８から外れようとする。この時点又は直前で、他方の従動子１６ｂを、ターンガイド部材１８の周縁に沿って円弧状に湾曲した保持用ガイドレール１７ｃの内面に転がり接触させる。これにより、保持用ガイドレール１７ｃの内面に受け止められた従動子１６ｂによって、支軸１０の反時計回りへの回転は規制される。従って、トレー１１は尚も水平な姿勢を維持する。
【００５２】
また、ターンガイド部材１８の役割について、図７に係るガイドスプロケットを例に説明する。即ち、ターンガイド部材１８を既述の速度で回転させつつ、同ターンガイド部材１８が具備する歯１８０の直後の凹部１８１が鉛直方向の略真上を向いたところで、この凹部１８１に従動子１６ａを嵌め込むようにする。このままターンガイド部材１８が図中で時計回りに旋回する過程で、支軸１０、従動子１６ａ、ターンガイド部材１８、及び追動回転輪８ｂが四節回転機構を構成するので、トレー１１は水平な姿勢を維持し続ける一方、追動牽体９はその走行する方向を約１８０°転換する。
【００５３】
そして、上記のターンガイド部材１８が、図中で時計回りに回転する角度が９０°を超えても、歯１８０が従動子１６ａをその下方から支持するので、従動子１６ａは直ちにターンガイド部材１８から外れることはない。ターンガイド部材１８が更に時計回りに回転して、従動子１６ａが自重で歯１８０から落下する直前で、他方の従動子１６ｂを、ターンガイド部材１８の下方に配置した直線状の保持用ガイドレール１７ｃの上面に転がり接触させる。これにより、保持用ガイドレール１７ｃの内面に受け止められた従動子１６ｂによって、支軸１０の反時計回りへの回転は規制される。従って、トレー１１は尚も水平な姿勢を維持する。
【００５４】
続いて、追動牽体９の下弦９ｂと共に往動に転じた一方の従動子１６ａは、その前途に配置された旋回用ガイドレール１９の上面に転がり接触する。旋回用ガイドレール１９は、往動方向Ｘ０における始端付近を水平又は略水平な区間１９ａとし、途中の区間を下向きに湾曲した湾曲区間１９ｂとし、湾曲区間１９ｂから往動方向Ｘ０における終端までを水平又は略水平な区間１９ｃとしている。従動子１６ａが湾曲区間１９ｂの下降傾斜した部分に案内されて徐々に下降する行程で、従動子１６ａは支軸１０に対してこの周りを反時計回りに旋回する。従って、トレー１１は、従動子１６ａの旋回に伴い反時計回りに９０°旋回して、起立することになる。
【００５５】
追動牽体９の下弦９ｂの下方には、滑動板材１５が配置されている。食品Ｆは、トレー１１が直立する過程でトレー１１から滑り落ち、滑動板材１５に受け止められる。滑動板材１５は、図２に仮想線で示すように、下弦９ｂが往動する方向に延びる複数条のスリット２０を有するので、図３に示すように、トレー１１ーが起立した姿勢で、複数条のスリット２０にトレー１１の総ての櫛歯１２を通過させ、総ての櫛歯１２の先端を滑動板材１５の下方へ通り抜けさせられる。このため、支軸１０に対して滑動板材１５を接近させることが可能となり、食品Ｆがトレー１１から滑動板材１５まで滑り落ちる落差を最小限に抑えられる。
【００５６】
従って、食品Ｆが油揚げしたような脆いフライ食品であっても、このようなフライ食品が落下に伴う衝撃を受けないで済むという利点がある。また、スリット２０は、食品Ｆから尚も流下する揚げ油を通過させて下方へ排出する役割も果たす。滑動板材１５から排出される揚げ油は、この下方に設けた図に表れていないシュート等によって回収される。更に揚げ油は、同シュート等に沿って流下し、油揚げ装置の油槽等へ戻る。
【００５７】
更に、トレー１１が追動牽体９の下弦９ｂと共に往動すると、一方の従動子１６ａが湾曲区間１９ｂの上昇傾斜した部分に案内されて徐々に上昇する。同時に、旋回用ガイドレール１９に対して幅方向に位置を違えて設けた保持用ガイドレール１７ｄの上面に、他方の従動子１６ｂが転がり接触する。保持用ガイドレール１７ｄは、一方の従動子１６ａが湾曲区間１９ｂの上昇傾斜した部分に案内されるとき、他方の従動子１６ｂを一方の従動子１６ａと同じ高さになるよう徐々に上向きに案内する。この過程を、以下「上昇案内過程」と記す。更に、保持用ガイドレール１７ｄは、一方の従動子１６ａが旋回用ガイドレール１９の水平又は略水平な区間１９ｃに案内されるとき、他方の従動子１６ｂを区間１９ｃと同じ高さを維持させたまま水平又は略水平に案内する。この過程を、以下「水平案内過程」と記す。
【００５８】
上記の上昇案内過程において、トレー１１は、その櫛歯１２をスリット２０に通過させたままで尚も往動できるので、トレー１１から滑り落ちて滑動板材１５に載り移った食品Ｆを、直立したトレー１１によって更に往動方向Ｘ０へ押し続け、食品Ｆの搬出を促すことができる。同時に、直立したトレー１１は、一対の従動子１６ａ，１６ｂと共に徐々に上昇し、上記の水平案内過程に至ったところで、櫛歯１２の先端が滑動板材１５の上方へ乖離する。そして、トレー１１は尚も往動し、食品Ｆを往動方向Ｘ０へ押すことにより、食品Ｆを滑動板材１５の上面に滑らせながら搬出する。
【００５９】
上記の水平案内過程の終点、即ち、図１及び図４に示すように、一方の従動子１６ａが、旋回用ガイドレール１９の区間１９ｃを往動方向Ｘ０へ通過した時点で、追動牽体９は、追動回転輪８ｃの周りで約１２０〜１５０°の範囲で上向きに方向転換する。これに伴ってトレー１１の全体も上昇して、櫛歯１２の先端は食品Ｆの上方へ更に乖離するので、例えば、食品Ｆをこれに往動させる方向へ空気を吹き付けるエアコンベヤ（図示省略）を用いて往動方向Ｘ０の前途へ向けて推し出すような場合、食品Ｆは空気に推されて高速で移動するが、このような食品Ｆが櫛歯１２に引っ掛かることがない。この後、追動牽体９は、フライコンベヤ２の主動牽体６の下弦６ｂと対面する位置に循環する。
【００６０】
尚、食品Ｆ及び搬出コンベヤ４に付着したフライ油を既述のシュート等に滴下させ、確実に油切りを行うことができる。このように、フライコンベヤ及び搬出コンベヤから滴下する食品の揚げ油を、それぞれ個別のシュート等によって回収できるので、揚げ油を効率的に回収してリサイクルすることが可能となる。また、フライコンベヤ２から滴下した油が搬出コンベヤ４上の食品Ｆに付着することがないという利点がある。
【００６１】
また、主動搬送手段Ｃ１０は、図１中の右側を省略しているが、油揚げ装置の油槽内を通過するようにしても良い。一方、追動搬送手段Ｃ１１は、同図中の左側を省略しているが、次工程の装置等へ向けて食品Ｆを単に搬出するものでも良く、或いは、次工程の装置等に組み込まれるベルトコンベヤと共用するものであっても良い。
【実施例２】
【００６２】
以上に、本発明の好ましい実施の形態について説明したが、フライコンベヤ２の主動牽体６の下弦６ｂと、搬出コンベヤ４の追動牽体９の上弦９ａとが平行に対面する部位は、これらが互いに水平姿勢を保つ必要は無い。図８に示すように、フライコンベヤ２の主動牽体６を、搬出コンベヤ４の姿勢に沿うように、復動方向Ｘ１に向かって下降する傾斜姿勢としても良い。
【００６３】
この場合、図１に表したフライコンベヤ２の終端の位置に比較して明らかなように、フライコンベヤ２を低い位置に設けることができる。従って、フライ食品の油切り搬出装置１の全高を低く抑えられる。また、主動牽体６の下弦６ｂと、追動牽体９の上弦９ａとの間の隙間は極力狭く設定することが望ましいが、両者は厳密に平行である必要はなく、互いに傾斜した姿勢で対面しても良い。
【実施例３】
【００６４】
一対の従節１０３，１０４がそれぞれ支軸１０から延出する方向は、必ずしも互いに直交する必要はない。例えば、図９に示すように、一対の従節１０３，１０４がそれぞれ支軸１０から延出する角度を４５°に設定しても良い。また、既述の保持用ガイドレール１７ｂは必須ではなく、保持用ガイドレール１７ｂを省略しても良い。この場合、保持用ガイドレール１７ａをターンガイド部材１８にできるだけ接近させ、従動子１６ａが保持用ガイドレール１７ａを離脱してターンガイド部材１８に係合するまでの距離を最小限にする。
【００６５】
尚、本発明に係るフライ食品の油切り搬出装置、及びその方法は、その主旨を逸脱しない範囲でその他の形態で実施し得るものである。例えば、従動子１６ａ又は従動子１６ｂとして、直線運動軸受のような滑子を適用しても良い。この場合には、保持用ガイドレール１７ａ〜１７ｅと、保持用ガイドレール１７ｂ，１７ｃの間を繋ぐ円弧状のガイドレール（ターンガイド部材１８の代用例として既述）とを連続した一条のレールとし、この一条のレールに上記の滑子を滑動自在に係合する。このような滑子は上記のレールから離脱することがなく、しかも転がり接触又は滑り接触による案内に比べて極めて円滑な動作ができるので、食品Ｆを一層静かに且つ安定させて移送できるという利点が得られる。
【図面の簡単な説明】
【００６６】
【図１】本発明の実施例１に係るフライ食品の油切り搬出装置の概略を示す側面図。
【図２】本発明の実施例１に係るフライ食品の油切り搬出装置を一部破断した平面図。
【図３】図１のＡ部の側面図。
【図４】図１のＢ部の側面図。
【図５】本発明の実施例１に係るフライ食品の油切り搬出装置に適用した追動牽体の平面図、側面図、及び断面図。
【図６】本発明の実施例１に係るフライ食品の油切り搬出装置に適用した支軸と従節との取付構造を示す平面図、及び側面図。
【図７】本発明の実施例１に係るフライ食品の油切り搬出装置に適用したターンガイド部材の一例を示す側面図。
【図８】本発明の実施例２に係るフライ食品の油切り搬出装置、及びその変形例を示す側面図。
【図９】本発明の実施例３に係るフライ食品の油切り搬出装置の概略を示す側面図。
【図１０】従来のフライ食品の油切り搬出装置の一例の概略を示す側面図。
【図１１】従来のフライ食品の油切り搬出装置の他例の概略を示す側面図。
【符号の説明】
【００６７】
１：フライ食品の油切り搬出装置
２：フライコンベヤ
３：反転ガイド板
４：搬出コンベヤ
５：主動回転輪
６：主動牽体
７：容器
８：追動回転輪
９：追動牽体
１０：支軸
１１：トレー
１２：櫛歯
１４：案内手段
１５：滑動板材
１６ａ，１６ｂ：従動子
１７ａ〜１７ｅ：保持用ガイドレール
１８：ターンガイド部材
１９：旋回用ガイドレール
２０：スリット
７０：開口
Ｆ：食品
【図１】
2005110968.tif 000003
【図２】
2005110968.tif 000004
【図３】
2005110968.tif 000005
【図４】
2005110968.tif 000006
【図５】
2005110968.tif 000007
【図６】
2005110968.tif 000008
【図７】
2005110968.tif 000009
【図８】
2005110968.tif 000010
【図９】
2005110968.tif 000011
【図１０】
2005110968.tif 000012
【図１１】
2005110968.tif 000013